(57)【要約】【課題】運搬や保管時には長尺な主脚や補助脚の長さを約半分程度に縮めることができ、かさばらず取り扱いが容易になり、保管スペースも僅かですむ。また、頂部に手摺を設けることにより使用時の安心感が得られ作業性および安全性が向上する三脚脚立を得る。【解決手段】一対の支柱脚４，４間に複数の踏桟５を適宜間隔で取り付けた梯子状の主脚１と、この主脚１の上部に上端部が回動自在に取り付くポール状の補助脚２とで構成する三脚脚立において、前記主脚１を、連結金具６により回動自在に連結される上部主脚１ａと下部主脚１ｂとで構成し、補助脚２を外管２ａとこの外管２ａ内にスライド自在に収納される内管２ｂとで伸縮自在に構成した。【選択図】        図１
2005226392.tif 000002
【特許請求の範囲】
【請求項１】
一対の支柱脚間に複数の踏桟を適宜間隔で取り付けた梯子状の主脚と、この主脚の上部に上端部が回動自在に取り付くポール状の補助脚とで構成する三脚脚立において、前記主脚を、連結金具により回動自在に連結される上部主脚と下部主脚とで構成し、補助脚を外管とこの外管内にスライド自在に収納される内管とで伸縮自在に構成したことを特徴とする三脚脚立。
【請求項２】
一部が着脱可能なよう、頂部に連結金具により回動自在に手摺を設けたことを特徴とする請求項１記載の三脚脚立。
【請求項３】
前記下部主脚は連結金具を介して上部主脚の外側に平行に折り畳まれ、手摺は連結金具を介して補助脚の外側に平行に折り畳まれることを特徴とする請求項１または請求項２に記載の三脚脚立。
【発明の詳細な説明】
【技術分野】
【０００１】
本発明は、園芸、造園用の三脚脚立に関するものである。
【背景技術】
【０００２】
かかる三脚脚立には種々のタイプのものがあるが、一般に周知の形状は、一対の支柱脚間に複数の踏桟を適宜間隔で取り付けた梯子状の主脚と、この主脚の上部に回動自在に取り付くポール状の補助脚とで構成するものである。そして、梯子状の主脚は長さが固定されており、また、補助脚は傾斜面などでの使用に対応できるよう、下部に延長脚を設けた伸縮自在のものもある（例えば特許文献１参照）。
【特許文献１】特開２０００−２８２７７０号公報
【発明の開示】
【発明が解決しようとする課題】
【０００３】
主脚は樹木などの高所にも手が届くように長尺に形成されており、例えば４ｍもの長さのものもある。一方、使用時には、作業場所が順に移動することがほとんどであり、かかる場合には三脚脚立を抱えるなどして運搬移動することになるが、長尺な主脚をそのままの状態で運搬することになり、移動作業が容易ではないし、長尺品を運搬することのできる車輌が必要となり、運搬コストが高くなる。
【０００４】
また、保管時も長尺な主脚をそのままの長さで保管することになり、保管のスペースを多く必要とする。
【０００５】
さらに、三脚脚立の頂部には天板が設けられているものもあるが、頂部に近い踏桟に立って作業する場合、および、天板上に昇って作業する場合は、身体の周囲によりどころとなる部材が存在しないため、不安感を生じるだけでなく、転落などの危険もある。
【０００６】
本発明の目的は前記従来例の不都合を解消し、運搬や保管の際にかさばらず取り扱いが容易になり、使用時の安全性も向上できる三脚脚立を提供することにある。
【課題を解決するための手段】
【０００７】
本発明は前記目的を達成するため、請求項１記載の発明は、一対の支柱脚間に複数の踏桟を適宜間隔で取り付けた梯子状の主脚と、この主脚の上部に上端部が回動自在に取り付くポール状の補助脚とで構成する三脚脚立において、前記主脚を、連結金具により回動自在に連結される上部主脚と下部主脚とで構成し、補助脚を外管とこの外管内にスライド自在に収納される内管とで伸縮自在に構成したことを要旨とするものである。
【０００８】
請求項１記載の本発明によれば、上部主脚に対して下部主脚を回動することで主脚を２つに折り畳み、また、補助脚は外管内に内管を収納することで補助脚全体を収縮できる。これにより、長尺な主脚および補助脚の長さを半分程度に縮めることができるから、運搬が容易になり保管スペースも少なくてすみ、運搬車輌も小型車輌ですむ。
【０００９】
請求項２記載の発明は、一部が着脱可能なよう、頂部に連結金具により回動自在に手摺を設けたことを要旨とするものである。
【００１０】
請求項２記載の本発明によれば、手摺を設けることで、主脚の頂部近くで作業したり、天板上に昇って作業する場合に、手摺を手掛かりとすることができ、安心感が得られるだけでなく、安全性も向上する。
【００１１】
請求項３記載の発明は、前記下部主脚は連結金具を介して上部主脚の外側に平行に折り畳まれ、手摺は連結金具を介して補助脚の外側に平行に折り畳まれることを要旨とするものである。
【００１２】
請求項３記載の本発明によれば、平行に折り畳まれた上部主脚と下部主脚、外管とこの外管内に収納された内管とによる補助脚、および手摺が平行に折り畳まれるから、全体に扁平な状態でコンパクトにまとまり、運搬が容易になり、保管スペースも少なくてすむ。
【発明の効果】
【００１３】
本発明の三脚脚立は、主脚や補助脚を折り畳み、伸縮自在に形成したから、運搬や保管時には長尺な主脚や補助脚の長さを約半分程度に縮めることができ、かさばらず取り扱いが容易になり、保管スペースも僅かですみ、運搬に必要な車輌も小型の車輌ですむ。また、頂部に手摺を設けることにより使用時の安心感が得られ作業性および安全性が向上する。
【発明を実施するための最良の形態】
【００１４】
以下、図面について本発明の実施形態を詳細に説明する。図１は本発明の三脚脚立の実施形態を示す正面図、図２は同上側面図、図３は同上平面図で、本発明の三脚脚立は、基本構成として主脚１と、この主脚１の上部に上端が回動自在に取り付くポール状の補助脚２と、主脚１の頂部に回動自在に取り付けた手摺３とで構成し、材質としては例えばアルミニウム合金を使用する。
【００１５】
前記主脚１は、一対の支柱脚４，４間に複数の踏桟５を適宜間隔で取り付けて梯子状に形成したもので、支柱脚４は上部主脚１ａと下部主脚１ｂの分割体で構成し、上部主脚１ａと下部主脚１ｂとは連結金具６で二つ折りに折り畳めるように上下に回動自在に連結し、下部主脚１ｂの下方は互いに外方に広がるようなテーパー状に形成して全体を裾広がりとした。
【００１６】
図中７は支柱脚４の上部に取り付けた天板を示す。
【００１７】
補助脚２は、図５、図６にも示すように外管２ａと、この外管２ａの内部にスライド自在に収納される内管２ｂとの組合わせで構成し、例えば外管２ａの上端を天板７にヒンジ構造により回動自在に軸着する。そして、外管２ａの下方に内管２ｂをスライド自在に組合わせる。
【００１８】
手摺３は図７、図８に示すようにコ字形の手摺枠８と、この手摺枠８を天板７に取り付ける略Ｌ字形のステイ９とで構成され、ステイ９の下部を取付金具１０によるヒンジ構造で天板７に上下方向に回動自在に取り付け、ステイ９の上端を手摺枠８の縦桟の部分の背面側に固定した。
【００１９】
また、手摺枠８の下端には上部主脚１ａの上端に係止する係止金具１１を上部主脚１ａに対して着脱自在に取り付ける。
【００２０】
前記上部主脚１ａと下部主脚１ｂとを回動自在に連結する連結金具６は、例えば、図１１〜図１３に示すようなものを使用することが考えられる。この連結金具６は、上部主脚１ａに固定される第１の金具１２と、下部主脚１ｂに固定される第２の金具１３とで構成し、第１の金具１２を内側にして第１の金具１２と第２の金具１３の端部をピン１４で回動自在に軸着した。
【００２１】
第１の金具１２は、平面コ字形の本体部の対向する一方の片１５ａを下方に延長し、この延長部に上部主脚１ａをビスで固定したもので、対向する他方の片１５ｂとの間に、先端が片１５ａの外側に突出するようにバネで付勢したロックピン１７をスライド自在に取り付ける。図示は省略するが、対向する片１５ａ，１５ｂを連結する片に切欠きを形成し、後述の係止爪の先端が挿入する空隙を確保する。
【００２２】
第２の金具１３は、平面コ字形本体部の対向する一方の片２０ａを下方に延長し、この延長部に下部主脚１ｂをビスで固定したもので、前記片２０ａの上部分に前記ロックピン１７が挿入するロック孔２２を形成するとともに、上端にロックピン１７をバネ１６の弾力に抗して没入方向に押圧する押圧部２１を上方に向けて外方に傾斜するテーパー状の突出片で形成した。
【００２３】
また、ロックピン１７の他端を片１５ｂの外側に突出させ、この突出部にロック解除のための解除レバー２３をロックピン１７と直交する方向に向けて固着し、片１５ｂの外側でロックピン１７の前記突出部分を囲むようにして該解除レバー２３が係合する解除用のカム２４を固着する。該カム２４は円筒状体の先端面をテーパー面２４ａに形成したもので、解除レバー２３の基端部がこのテーパー面２４ａの上を移動することでロックピン１７がロック孔２２に対して出没方向に移動する。
【００２４】
ロックピン１７のほぼ中央位置に途中にバネ受けを取り付け、該バネ受けの外側に作動ピンをロックピン１７と直交させて突設し、第２の金具１３には該作動ピンが係合してロックピン１７を突出位置に復位させる係止爪を設けた。この係止爪２７は、第２の金具１３の片２０ａと片２０ｂとを結合する片の上部に内側に傾斜するテーパー片として形成した。
【００２５】
次に使用法について説明する。使用時には、図２に示すように補助脚２を組立て、主脚１と逆Ｖ字形になるように開いて立てれば、三脚脚立は、２本の支柱脚４と補助脚２との３点で支持された状態で安定して立設する。
【００２６】
また、図７に示すように手摺３は梯子状の主脚１の上部延長線上に手摺枠８を位置させて係止金具１１を上部主脚１ａの側部に係止することで、天板７上に固定される。
【００２７】
この状態で踏桟５を昇り作業すれば、三脚脚立の上部近くおよび天板上の高所で作業する場合でも、手摺３があるので、手掛かりとなり安心感が得られるとともに安全も確保できる。
【００２８】
そして、傾斜面や凹凸のある地面などの接地する場合は、補助脚２を伸縮して三脚脚立が垂直に立つように調整する。
【００２９】
運搬や保管する場合の不使用時には、図４のように補助脚２のみをその上端を主脚１の方向に回動させて主脚１と平行に畳むだけでもよいが、次に説明するようにさらにコンパクトに折り畳むことができる。主脚１については、上部主脚１ａと下部主脚１ｂを連結している連結金具６の箇所で、図１３に示すように第１の金具１２と第２の金具１３とが横方向に並ぶように回動させて折り曲げ、図９（ａ）に示すように下部主脚１ｂを上部主脚１ａの外側に平行に折り畳む。これにより全体の長さが約半分に縮まる。
【００３０】
また、補助脚２については、図６、図１０に示すように外管２ａ内に内管２ｂをスライドさせて挿入し、全体の長さを約半分に縮める。
【００３１】
さらに手摺３については、図７に鎖線で示すように係止金具１１を上部主脚１ａの側部から外して上部主脚１ａに対する係止を解除し、図９（ｂ）〜図９（ｅ）に示すように取付金具１０の箇所を支点として図において右下方に手摺枠８およびステイ９を回動すれば、手摺枠８とステイ９は図１０に示すように主脚１および補助脚２の外側でこれと平行に折り畳まれる。
【００３２】
このようにして主脚１、補助脚２および手摺３が扁平な短尺なものに畳まれる。よって、この状態で運搬すれば容易に移動でき、また、保管に要するスペースも少なくてすみ運搬に必要な車輌も小型の車輌ですむ。
【００３３】
手摺３の形態としては、前記した例に限定されるものではなく、他の例として図１４、図１５に示すように上部主脚１ａに下端が係止金具１１で係脱自在に固定される合計２本の支柱２９と、下端が天板７の背面側中央に回転金具３２で回動自在に取り付けられる１本ないしは２本の支柱３０と、これらの支柱２９，２９の上端に固定されるとともに支柱３０の上端に回転金具３１で回動自在に取り付けられる平面四角形状の手摺枠２８とで構成することもできる。なお、前記回転金具３２は半割り形状として、端部のフランジを蝶ナットなどで締付ければ、天板７に簡単に着脱できる。
【００３４】
かかる形状の手摺３の場合は、使用時に天板７の上に手摺３を固定するには、支柱２９の下端を係止金具１１で上部主脚１ａの上部に固定すればよい。この場合、係止金具１１の形状を半円筒形としておけば、この係止金具１１を上部主脚１ａの側部からこの上部主脚１ａの側に押し込めば、半円筒形の内部に上部主脚１ａが嵌入する。よって、固定ピン１１ａで半円筒形の突出端部を連結すれば、係止金具１１は上部主脚１ａに固定される。
【００３５】
この状態で天板７の背面側には支柱３０が立設するから、手摺枠２８はこれらの支柱２９，３０によって天板７の上方に配設される。
【００３６】
三脚脚立を運搬、保管する場合は、手摺３を折り畳むが、この場合は、固定ピン１１ａを外して係止金具１１を上部主脚１ａから外し、上部主脚１ａへの支柱２９の固定を解除する。そして、手摺３の全体を補助脚２の方向、すなわち背面側の下方に向けて回動すれば、支柱３０が回転金具３２を軸として下方に倒れるようにして回動し、同時に回転金具３１を軸として支柱３０に対して手摺枠２８も回動しながら背面側の下方に移動する。
【００３７】
その結果、図１５に示すように手摺枠２８が天板７の下方に入り込んだ状態でここに収まり、手摺３の全体が主脚１と補助脚２の外側でこれらと平行に折り畳まれる。
【００３８】
第一実施形態では手摺枠２８の折畳み方向を主脚１と平行にしたが、これに限定されるものではなく、主脚１の一方の支柱脚４にそって、主脚１と直交する方向に折畳むようにすることもできる。この場合、手摺枠２８は一体型のコ字型ではなく、縦桟、横桟を相互に回動自在に結合しておき、一方の縦桟の下部を天板７に着脱自在に取付ける。
【００３９】
さらに、他の例として、前記と同様に手摺枠２８を縦桟、横桟を相互に回動自在に結合し、支柱脚４にそってさや管を設け、このさや管内に手摺枠２８の縦桟の下部をスライド自在に挿入することもできる。この場合は、縦桟をさや管内でスライドさせることで手摺枠２８を主脚１にそって折畳み収納することができる。
【図面の簡単な説明】
【００４０】
【図１】本発明の三脚脚立の第１実施形態を示す正面図である。
【図２】本発明の三脚脚立の第１実施形態を示す側面図である。
【図３】本発明の三脚脚立の第１実施形態を示す平面図である。
【図４】本発明の三脚脚立の第１実施形態を示す補助脚を閉じた状態の側面図である。
【図５】本発明の三脚脚立の第１実施形態を示す補助脚の伸長状態の正面図である。
【図６】本発明の三脚脚立の第１実施形態を示す補助脚の収縮状態の正面図である。
【図７】本発明の三脚脚立の第１実施形態を示す要部である手摺の正面図である。
【図８】本発明の三脚脚立の第１実施形態を示す要部である手摺の側面図である。
【図９】本発明の三脚脚立の第１実施形態を示す主脚および手摺の折り畳み状態を示す説明図である。
【図１０】本発明の三脚脚立の第１実施形態を示す折り畳み状態を示す側面図である。
【図１１】本発明の三脚脚立の第１実施形態を示す連結金具の閉じた状態の正面図である。
【図１２】本発明の三脚脚立の第１実施形態を示す連結金具の閉じる途中状態の正面図である。
【図１３】本発明の三脚脚立の第１実施形態を示す連結金具の開いた状態の正面図である。
【図１４】本発明の三脚脚立の第２実施形態を示す要部の手摺の斜視図である。
【図１５】本発明の三脚脚立の第２実施形態を示す要部の手摺を折り畳んだ状態の斜視図である。
【符号の説明】
【００４１】
１  主脚                        １ａ  上部主脚
１ｂ  下部主脚                  ２  補助脚
２ａ  外管                      ２ｂ  内管
３  手摺                        ４  支柱脚
５  踏桟                        ６  連結金具
７  天板                        ８  手摺枠
９  ステイ                      １０  取付金具
１１  係止金具                  １１ａ  固定ピン
１２  第１の金具                １３  第２の金具
１４  ピン                      １５ａ，１５ｂ  片
１６  バネ                      １７  ロックピン
１８  切欠き                    ２０ａ，２２０ｂ  片
２１  押圧部                    ２２  ロック孔
２３  解除レバー                ２４  カム
２４ａ  テーパー面              ２８  手摺枠
２９  支柱                      ３０  支柱
３１  回転金具                  ３２  回転金具
【図１】
2005226392.tif 000003
【図２】
2005226392.tif 000004
【図３】
2005226392.tif 000005
【図４】
2005226392.tif 000006
【図５】
2005226392.tif 000007
【図６】
2005226392.tif 000008
【図７】
2005226392.tif 000009
【図８】
2005226392.tif 000010
【図９】
2005226392.tif 000011
【図１０】
2005226392.tif 000012
【図１１】
2005226392.tif 000013
【図１２】
2005226392.tif 000014
【図１３】
2005226392.tif 000015
【図１４】
2005226392.tif 000016
【図１５】
2005226392.tif 000017